(57)【要約】  撮像装置のレンズを保護するバリアユニットの羽根が閉じた状態で、当接する羽根の端部が上下にずれるという外観上の不良を回避し、また、羽根が重なってしまうことによる羽根の動作不良を回避するためのバリアユニットの構造を提供する。  バリアユニットは、第１の開口部を有する基盤と、第２の開口部を有し、第２の開口部が第１の開口部と対向するよう配置されるカバーと、基盤とカバーとの間に設けられ、第１の開口部および第２の開口部に対して開閉自在に設けられた複数の羽根とを備えている。基盤とカバーとの間の間隙に関して、複数の羽根が閉じられた状態における、複数の羽根の端部が互いに当接する第１位置近傍の間隙ｅは、第１位置とは異なる第２位置における間隙ｄよりも小さい。
2009104422.tif 000002
【特許請求の範囲】
【請求項１】
撮像装置のレンズを保護するバリアユニットであって、
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた複数の羽根と
を備え、
前記基盤と前記カバーとの間の間隙に関して、
前記複数の羽根が閉じられた状態における、前記複数の羽根の端部が互いに当接する第１位置近傍の間隙ｅは、前記第１位置とは異なる第２位置における間隙ｄよりも小さい、バリアユニット。
【請求項２】
前記基盤および前記カバーには、前記複数の羽根の少なくとも１つの開閉動作をガイドするレールがそれぞれ設けられており、各レールは、前記複数の羽根の各々に対して所定の間隙を有して、前記羽根の開閉移動をガイドし、前記間隙ｅおよび間隙ｄは、前記基盤に設けられたレールと前記カバーに設けられたレールとの間に形成される、請求項１に記載のバリアユニット。
【請求項３】
前記カバーには、前記複数の羽根の少なくとも１つの開閉動作をガイドするレールが設けられており、前記間隙ｅおよび間隙ｄは、前記基盤と前記レールとの間に形成される、請求項１に記載のバリアユニット。
【請求項４】
前記基盤には、前記複数の羽根の少なくとも１つの開閉動作をガイドするレールが設けられており、前記間隙ｅおよび間隙ｄは、前記カバーと前記レールとの間に形成される、請求項１に記載のバリアユニット。
【請求項５】
前記第１位置近傍において、前記基盤および前記カバーの一方には、前記複数の羽根に近づく方向に突出した規制部が設けられている、請求項１から４のいずれかに記載のバリアユニット。
【請求項６】
前記間隙ｅは、前記基盤および前記カバーの一方に設けられた前記規制部と、前記基盤および前記カバーの他方との間に形成される、請求項５に記載のバリアユニット。
【請求項７】
前記第１位置近傍において、前記基盤および前記カバーの両方に、前記複数の羽根に近づく方向に突出した規制部が設けられている、請求項１から４のいずれかに記載のバリアユニット。
【請求項８】
前記間隙ｅは、前記基盤に設けられた前記規制部と、前記カバーに設けられた前記規制部との間に形成される、請求項５に記載のバリアユニット。
【請求項９】
前記規制部の端部に傾斜が設けられている、請求項７に記載のバリアユニット。
【請求項１０】
撮像装置のレンズを保護するバリアユニットであって、
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた複数の羽根と
を備え、
前記基盤と前記カバーとの間の間隙に関して、
前記複数の羽根が閉じられた状態における、前記複数の羽根の端部が互いに当接する第１位置近傍の間隙ｅは、第２位置における間隙ｄよりも小さく、
前記第２位置は、前記複数の羽根が、前記第１の開口部および前記第２の開口部に対して前記第１位置よりも開いた方向にある位置である、バリアユニット。
【請求項１１】
前記請求項１から１０のいずれかに記載のバリアユニットが実装されているカメラ。
【発明の詳細な説明】
【技術分野】
【０００１】
本発明は、スティルカメラやビデオムービーカメラのレンズ等を保護するために、レンズ前面で開閉されるバリアユニットに関する。
【背景技術】
【０００２】
特許文献１は、従来のバリアユニットを開示する。たとえば図９は、特許文献１のバリアユニット１０１の断面図である。【０００３】
前端板部１０１Ａの中心にはレンズ１０９に対する光路を形成する開口１０１ａが設けられ、前端板部１０１Ａの前方位置に配置されたバリア羽根１０４が開口１０１ａを開閉する。バリア羽根１０４が開いているとき、シャッター地板１１０に沿ってシャッターが開閉し、撮影が行われる。【０００４】
バリアユニット１０１は、バリア羽根１０４の全開時と全閉時において光が入射してくる方向に向かってバリア羽根駆動リング１０２が前進する。これにより、全開時と全閉時にはバリア羽根１０４はバリア保護カバー１０８に押し付けられるので、バリア羽根１０４とバリア保護カバー１０８との間に砂等の異物が入りにくくなる。【０００５】
続いて、図１０〜１４を参照しながら、従来のバリアユニットの一例を説明する。【０００６】
図１０は、第１、第２の羽根２，３が開いた状態を示す平面図であり、図１１は第１、第２の羽根２，３が閉じた状態を示す平面図である。図１０および１１には、カバー１と、第１、第２の羽根２，３が簡略化して示されている。【０００７】
第１及び第２の羽根２，３には、回転穴１５，１６及び長穴１７，１８がそれぞれ設けられている。第１及び第２の羽根２，３は、それぞれ長穴１７，１８部分を駆動されて、回転穴１５，１６を中心に回動する。第１、第２の羽根２，３の開閉動作は、カバー１に設けられた羽根ガイドレール部１ａ及び後述の基盤に設けられた羽根ガイドレール部によってガイドされる。第１、第２の羽根２，３が閉じたとき、第１の羽根２の第１端面２ａと第２の羽根３の第２の端面３ａとが重なることなく接することが好ましい。【０００８】
ここで、図１１のＣ−Ｃ断面を参照しながら、第１、第２の羽根２，３が閉じたときの状態を説明する。【０００９】
図１２〜１４は、それぞれ異なる態様による、第１、第２の羽根２，３の位置関係を示すＣ−Ｃ断面図である。【００１０】
図１２は、理想的な平面を有する第１、第２の羽根２，３が、理想的な位置関係で閉じた状態を示す。図１２において、第１、第２の羽根２，３の開閉動作は、カバー１に設けられた羽根ガイドレール部１ａ及び基盤４に設けられた羽根ガイドレール部４ａによってガイドされる。間隙ｄは羽根の開閉動作を保証するために、第１、第２の羽根２，３と羽根ガイドレール部１ａ、４ａとの間に設けられている。【００１１】
図１２の例では、第１、第２の羽根２，３がほぼ平面の状態で、かつ、図面の垂直方向に互いにずれることなく閉じられている。なお、「垂直方向」とは、カバー１および基盤４に垂直な方向を意味する。【００１２】
図１３は、理想的な平面を有する第１、第２の羽根２，３が、垂直方向にずれた位置関係で閉じた状態を示す。また図１４は、平面度が悪い第１、第２の羽根２，３が、閉じた状態を示す。本願明細書において「平面度が悪い」とは、平面ではない状態を意味する。たとえば図１４に示すように、第１、第２の羽根２，３が波打った状態や、湾曲した状態を意味する。
【特許文献１】特開平９−６１８８７号公報
【発明の開示】
【発明が解決しようとする課題】
【００１３】
従来の構成では、図１２に示す間隙ｄが大きすぎると、図１３に示すように、第１の羽根２の第１端面２ａと、第２の羽根３の第２の端面３ａとが上下方向にずれてしまい、外観上良くない。特に、羽根の段差そのずれが大きい時には、羽根が閉じた状態で第１の羽根２および第２の羽根３が、その端面部分で重なりあってしまい、羽根の開閉動作不良を発生する。【００１４】
その一方、間隙ｄが十分確保されなければ、図１４に示すように、平面度の悪い羽根を使用してバリアユニットを組み立てた時に、羽根の開閉動作を保証するための間隙が確保されず、羽根の開閉動作不良を発生する。【００１５】
本発明は上述した従来の問題点を解決するものであり、その目的は、バリアユニットの羽根が閉じた状態で、当接する羽根の端部が上下にずれるという外観上の不良を回避し、また、羽根が重なってしまうことによる羽根の動作不良を回避するための構造を提供することにある。さらに、平面度の悪い羽根を使用してバリアユニットを組み立てた時でも羽根の開閉動作不良を発生させないようにするための構造を提供することにある。
【課題を解決するための手段】
【００１６】
本発明によるバリアユニットは、撮像装置のレンズを保護するバリアユニットであって、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた複数の羽根とを備え、前記基盤と前記カバーとの間の間隙に関して、前記複数の羽根が閉じられた状態における、前記複数の羽根の端部が互いに当接する第１位置近傍の間隙ｅは、前記第１位置とは異なる第２位置における間隙ｄよりも小さい。【００１７】
前記基盤および前記カバーには、前記複数の羽根の少なくとも１つの開閉動作をガイドするレールがそれぞれ設けられており、各レールは、前記複数の羽根の各々に対して所定の間隙を有して、前記羽根の開閉移動をガイドし、前記間隙ｅおよび間隙ｄは、前記基盤に設けられたレールと前記カバーに設けられたレールとの間に形成されてもよい。【００１８】
前記カバーには、前記複数の羽根の少なくとも１つの開閉動作をガイドするレールが設けられており、前記間隙ｅおよび間隙ｄは、前記基盤と前記レールとの間に形成されてもよい。【００１９】
前記基盤には、前記複数の羽根の少なくとも１つの開閉動作をガイドするレールが設けられており、前記間隙ｅおよび間隙ｄは、前記カバーと前記レールとの間に形成されてもよい。【００２０】
前記第１位置近傍において、前記基盤および前記カバーの一方には、前記複数の羽根に近づく方向に突出した規制部が設けられていてもよい。【００２１】
前記間隙ｅは、前記基盤および前記カバーの一方に設けられた前記規制部と、前記基盤および前記カバーの他方との間に形成されてもよい。【００２２】
前記第１位置近傍において、前記基盤および前記カバーの両方に、前記複数の羽根に近づく方向に突出した規制部が設けられていてもよい。【００２３】
前記間隙ｅは、前記基盤に設けられた前記規制部と、前記カバーに設けられた前記規制部との間に形成されてもよい。【００２４】
前記規制部の端部に傾斜が設けられていてもよい。【００２５】
本発明による他のバリアユニットは、撮像装置のレンズを保護するバリアユニットであって、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた複数の羽根とを備え、前記基盤と前記カバーとの間の間隙に関して、前記複数の羽根が閉じられた状態における、前記複数の羽根の端部が互いに当接する第１位置近傍の間隙ｅは、第２位置における間隙ｄよりも小さく、前記第２位置は、前記複数の羽根が、前記第１の開口部および前記第２の開口部に対して前記第１位置よりも開いた方向にある位置であってもよい。【００２６】
本発明によるカメラは、上述したいずれかのバリアユニットが実装されている。
【発明の効果】
【００２７】
本発明のバリアユニットによれば、羽根閉状態における第１及び第２の羽根の当接部近傍において、羽根の羽根ガイドレール部の高さを高く設定し、羽根閉状態における羽根の当接部近傍において、羽根の羽根ガイドレール部によって設けられる羽根と羽根ガイドレール部の間隙を小さく設けることにより、羽根閉状態で、当接する羽根の端部が上下にずれるという外観上の不良を回避し、また、羽根が重なってしまうことによる羽根の動作不良を回避し、また、平面度の悪い羽根を使用してバリアユニットを組み立てた時でも羽根の開閉動作不良の発生することのないバリアユニットを実現する。
【図面の簡単な説明】
【００２８】
【図１】本発明の実施形態によるバリアユニットの部品構成を表す上面斜視図である。
【図２】本発明の本実施形態によるバリアユニットの部品構成を表す下面斜視図である。
【図３】第１、第２の羽根２，３が開いた状態を示す平面図である。
【図４】第１、第２の羽根２，３が閉じた状態を示す平面図である。
【図５】理想的な平面を有する第１、第２の羽根２，３が、理想的な位置関係で閉じた状態を示す図である。
【図６】理想的な平面を有する第１、第２の羽根２，３が、垂直方向にずれた位置関係で閉じた状態を示す図である。
【図７】平面度が悪い第１、第２の羽根２，３が、閉じた状態を示す図である。
【図８】カバー１側に２つの規制部１ｂ−１および１ｂ−２を設け、基盤４ｂ側にも２つの規制部４ｂ−１および４ｂ−２を設けた構成の例を示す図である。
【図９】従来のバリアユニット１０１の断面図である。
【図１０】第１、第２の羽根２，３が開いた状態を示す平面図である。
【図１１】第１、第２の羽根２，３が閉じた状態を示す平面図である。
【図１２】理想的な平面を有する第１、第２の羽根２，３が、理想的な位置関係で閉じた状態を示す図である。
【図１３】理想的な平面を有する第１、第２の羽根２，３が、垂直方向にずれた位置関係で閉じた状態を示す図である。
【図１４】平面度が悪い第１、第２の羽根２，３が、閉じた状態を示す図である。
【符号の説明】
【００２９】
１  カバー
２  第１の羽根
３  第２の羽根
４  基盤
２ａ，３ａ  羽根端部
１ａ、４ａ  羽根ガイドレール部
１ｂ、４ｂ、１ｂ−１、１ｂ−２、４ｂ−１、４ｂ−２  羽根ガイドレール部の規制部
１ｃ、４ｃ  傾斜部
【発明を実施するための最良の形態】
【００３０】
以下、添付の図１〜７を参照しながら、本発明のバリアユニットの実施形態を説明する。【００３１】
図１は、本実施形態によるバリアユニットの部品構成を表す上面斜視図であり、図２は本実施形態によるバリアユニットの部品構成を表す下面斜視図である。【００３２】
バリアユニットは、カバー１と、第１の羽根２と、第２の羽根３と、第１の端部２ａと、第２の端部３ａと、基盤４と、第１のリング５と、第２のリング６と、第１のバネ７と、第２のバネ８とを有している。【００３３】
第１及び第２の羽根２および３は、たとえばバリアユニット５０がカメラに実装されたときに、そのカメラのレンズを保護するために設けられている。当該カメラを用いた撮影時には第１及び第２の羽根２および３は開き、非撮影時（たとえば電源オフ時）には第１及び第２の羽根２および３は閉じる。【００３４】
第１及び第２の羽根２および３は、回転穴１５，１６によって基盤４上の軸９，１０に回転自在に取り付けられている。カバー１は、カバーに一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。【００３５】
カバー１には、羽根ガイドレール部１ａ（図２）が設けられている。一方、基盤４には、羽根ガイドレール部４ａ（図１）が設けられている。【００３６】
カバー１には開口部１３が設けられている。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。【００３７】
第１のバネ７は、第１のリング５のバネかけ部２１と第２のリング６のバネかけ部２２に張架される。第２のバネ８は、第２のリング６のバネかけ部２３と基盤４のバネかけ部２４に張架される。【００３８】
第２のリング６にはリング凸部２５が設けられている。リング凸部２５は、第１のリング５の切り欠き部２６に挿入されて、組み立てられる。【００３９】
基盤４には開口部２７が設けられている。【００４０】
また第２のリングにはカム部２８が設けられており、図示されない駆動手段によってカム部２８が付勢されることにより、第１、第２の羽根２，３が閉まる方向（Ｂ方向）に、第２のリング６が駆動される。【００４１】
第１のバネ７によって第１、第２のリング５，６は一体となっている。カム部２８によって第２のリング６は閉まる方向（Ｂ方向）に駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎを回避する。【００４２】
図３は、第１、第２の羽根２，３が開いた状態を示す平面図であり、図４は第１、第２の羽根２，３が閉じた状態を示す平面図である。図３および４には、カバー１、および、第１、第２の羽根２，３のみを簡略化して示している。【００４３】
第１及び第２の羽根２，３は、それぞれ長穴１７，１８部分を駆動されて、回転穴１５，１６を中心に回動する。図４に示すように、羽根が閉じた状態では、第１の端部２ａおよび第２の端部３ａは当接する。【００４４】
本実施形態によるバリアユニットの特徴のひとつは、羽根ガイドレール部１ａには規制部１ｂが設けられ、羽根ガイドレール部４ａには規制部４ｂが設けられていることにある。規制部１ｂおよび４ｂは、第１の端部２ａおよび第２の端部３ａの当接部近傍に設けられた、複数の羽根に近づく方向に突出した部分である。【００４５】
ここで図５〜７のＣ−Ｃ断面を参照しながら、本実施形態によるバリアユニットの構造を詳細に説明する。【００４６】
図５〜７は、それぞれ異なる態様による、第１、第２の羽根２，３の位置関係を示すＣ−Ｃ断面図である。【００４７】
図５〜７において、第１、第２の羽根２，３は、カバー１に設けられた羽根ガイドレール部１ａ及び基盤４に設けられた羽根ガイドレール部４ａによって、その開閉動作をガイドされる。【００４８】
間隙ｄは羽根の開閉動作を保証するために、第１、第２の羽根２，３と羽根ガイドレール部１ａ、４ａとの間に設けられている。羽根端部２ａおよび３ａの当接部近傍には、羽根ガイドレール部の規制部１ｂおよび４ｂが設けられている。規制部１ｂはカバー１の羽根ガイドレール部１ａに設けられており、規制部４ｂは基盤４の羽根ガイドレール部４ｂに設けられている。【００４９】
羽根ガイドレール部の規制部１ｂ，４ｂが存在することにより、羽根端部２ａおよび３ａの当接部近傍では、羽根端部２ａとカバー１との間隙、および、羽根端部３ａと基盤４との間隙（いずれも間隙ｅとして図示）は、通常の間隙ｄに比べて小さい。羽根ガイドレール部の規制部１ｂ，４ｂの端部には、傾斜部１ｃ、４ｃが設けられている。【００５０】
また、第１及び第２の羽根２，３の厚さがそれぞれｔとすると、規制部１ｂと４ｂとの間隔はｔより大きく、かつ、２ｔよりも小さく設定される。【００５１】
図５は、理想的な平面を有する第１、第２の羽根２，３が、理想的な位置関係で閉じた状態を示す。このような条件の下では、羽根ガイドレール部１ａの規制部１ｂ、および、羽根ガイドレール部４ａの規制部４ｂは、その機能を発揮していない。規制部１ｂおよび４ｂは、図６や図７の状態において特に有効に機能する。【００５２】
図６は、理想的な平面を有する第１、第２の羽根２，３が、垂直方向にずれた位置関係で閉じた状態を示す。また図７は、平面度が悪い第１、第２の羽根２，３が、閉じた状態を示す。【００５３】
図６に示すように、第１及び第２の羽根２，３が垂直方向にずれた状態でも、羽根ガイドレール部の規制部１ｂ，４ｂが存在することにより、第１及び第２の羽根２，３のずれ量は所定以上に大きくなることはない。より具体的には、ずれ量は規制部１ｂおよび４ｂの間隔以上に大きくなることはない。ずれ量が最小限に抑えられているため、外観上の不具合を生じることがなく、羽根が閉じた状態において第１の羽根２と第２の羽根３とがその端面２ａおよび３ａで重なってしまい、羽根の開閉動作不良を発生することもない。【００５４】
さらに、図７に示すように、平面度の悪い羽根を使用してバリアユニットを組み立ても、羽根の開閉動作不良を発生することはない。その理由は、規制部１ｂ，４ｂは羽根端部２ａ，３ａの当接部近傍に限って設けられており、羽根端部２ａ，３ａの当接部近傍以外の位置では、第１の羽根２と羽根ガイドレール部１ａおよび４ａとの間隙ｄ、および、第２の羽根３と、羽根ガイドレール部１ａおよび４ａとの間隙ｄは十分確保されているためである。また、羽根ガイドレール部の規制部１ｂ，４ｂの端部に設けられた傾斜部１ｃ、４ｃによって、羽根の開閉動作時にも、羽根端部２ａ，３ａが規制部１ｂ，４ｂにひっかかることはない。  【００５５】
本実施形態では、羽根ガイドレール部１ａおよび４ａは、カバー１と基盤４の両方に設けられるとしたが、いずれか一方のみに設けられてもよい。そして、規制部１ｂおよび４ｂは、カバー１の羽根ガイドレール部１ａおよび基盤４の羽根ガイドレール部４ａの両方に設けられるとしたが、いずれかの羽根ガイドレール部に対して１つ設けられてもよい。また、規制部１ｂ，４ｂは羽根ガイドレール部上に設けられるとしたが、カバー１や基盤４の羽根に対向する面に直接、設けられてもよい。【００５６】
本実施形態では、規制部を設ける数は、カバー１側に１つ、および、基盤４ｂ側に１つであるとした。しかしながら、その数は、いずれか一方、または、両方の側において、複数であってもよい。【００５７】
図８は、カバー１側に２つの規制部１ｂ−１および１ｂ−２を設け、基盤４ｂ側にも２つの規制部４ｂ−１および４ｂ−２を設けた構成の例を示す。第１の羽根２および第２の羽根３の当接部近傍において、規制部１ｂ−１および４ｂ−１が第２の羽根３に対してそれぞれ設けられ、規制部１ｂ−２および４ｂ−２が第２の羽根２に対してそれぞれ設けられている。【００５８】
第１の羽根２が垂直方向にずれたときのずれ量は規制部１ｂ−２及び４ｂ−２の間隔以上に大きくなることがない。同様に、第２の羽根３が垂直方向にずれたときのずれ量は規制部１ｂ−１及び４ｂ−１の間隔以上に大きくなることがない。先の説明と同様、例えば、第１及び第２の羽根２，３の厚さがそれぞれｔとすると、規制部１ｂ−１と４ｂ−１との間隔、および、規制部１ｂ−２と４ｂ−２との間隔は、ｔより大きく、かつ、２ｔよりも小さく設定されればよい。【００５９】
羽根ガイドレール部の規制部１ｂ，４ｂの端部に設けられた傾斜部１ｃ、４ｃの範囲は、図５〜７で図示された例よりも長くてもよい。【００６０】
なお、本発明において、傾斜部を設けることは必須ではない。傾斜部を設けることにより、さらにひっかかりが生じにくくなる。【００６１】
本実施形態では、互いに当接する羽根は２枚であるとして説明したが、そのような羽根の枚数は３枚以上であってもよい。
【産業上の利用可能性】
【００６２】
本発明のバリアユニットは、スティルカメラやビデオムービーカメラのレンズ等を保護するために有用であり、スティルカメラやビデオムービーカメラ等の撮像装置に搭載可能である。
【図１】
2009104422.tif 000003
【図２】
2009104422.tif 000004
【図３】
2009104422.tif 000005
【図４】
2009104422.tif 000006
【図５】
2009104422.tif 000007
【図６】
2009104422.tif 000008
【図７】
2009104422.tif 000009
【図８】
2009104422.tif 000010
【図９】
2009104422.tif 000011
【図１０】
2009104422.tif 000012
【図１１】
2009104422.tif 000013
【図１２】
2009104422.tif 000014
【図１３】
2009104422.tif 000015
【図１４】
2009104422.tif 000016
【手続補正書】
【提出日】平成22年8月5日(2010.8.5)
【手続補正１】
【補正対象書類名】明細書
【補正対象項目名】全文
【補正方法】変更
【補正の内容】
【発明の詳細な説明】
【技術分野】
【０００１】
本発明は、スティルカメラやビデオムービーカメラのレンズ等を保護するために、レンズ前面で開閉されるバリアユニットに関する。
【背景技術】
【０００２】
特許文献１は、従来のバリアユニットを開示する。たとえば図９は、特許文献１のバリアユニット１０１の断面図である。
【０００３】
前端板部１０１Ａの中心にはレンズ１０９に対する光路を形成する開口１０１ａが設けられ、前端板部１０１Ａの前方位置に配置されたバリア羽根１０４が開口１０１ａを開閉する。バリア羽根１０４が開いているとき、シャッター地板１１０に沿ってシャッターが開閉し、撮影が行われる。
【０００４】
バリアユニット１０１は、バリア羽根１０４の全開時と全閉時において光が入射してくる方向に向かってバリア羽根駆動リング１０２が前進する。これにより、全開時と全閉時にはバリア羽根１０４はバリア保護カバー１０８に押し付けられるので、バリア羽根１０４とバリア保護カバー１０８との間に砂等の異物が入りにくくなる。
【０００５】
続いて、図１０〜１４を参照しながら、従来のバリアユニットの一例を説明する。
【０００６】
図１０は、第１、第２の羽根２，３が開いた状態を示す平面図であり、図１１は第１、第２の羽根２，３が閉じた状態を示す平面図である。図１０および１１には、カバー１と、第１、第２の羽根２，３が簡略化して示されている。
【０００７】
第１及び第２の羽根２，３には、回転穴１５，１６及び長穴１７，１８がそれぞれ設けられている。第１及び第２の羽根２，３は、それぞれ長穴１７，１８部分を駆動されて、回転穴１５，１６を中心に回動する。第１、第２の羽根２，３の開閉動作は、カバー１に設けられた羽根ガイドレール部１ａ及び後述の基盤に設けられた羽根ガイドレール部によってガイドされる。第１、第２の羽根２，３が閉じたとき、第１の羽根２の第１端面２ａと第２の羽根３の第２の端面３ａとが重なることなく接することが好ましい。
【０００８】
ここで、図１１のＣ−Ｃ断面を参照しながら、第１、第２の羽根２，３が閉じたときの状態を説明する。
【０００９】
図１２〜１４は、それぞれ異なる態様による、第１、第２の羽根２，３の位置関係を示すＣ−Ｃ断面図である。
【００１０】
図１２は、理想的な平面を有する第１、第２の羽根２，３が、理想的な位置関係で閉じた状態を示す。図１２において、第１、第２の羽根２，３の開閉動作は、カバー１に設けられた羽根ガイドレール部１ａ及び基盤４に設けられた羽根ガイドレール部４ａによってガイドされる。間隙ｄは羽根の開閉動作を保証するために、第１、第２の羽根２，３と羽根ガイドレール部１ａ、４ａとの間に設けられている。
【００１１】
図１２の例では、第１、第２の羽根２，３がほぼ平面の状態で、かつ、図面の垂直方向に互いにずれることなく閉じられている。なお、「垂直方向」とは、カバー１および基盤４に垂直な方向を意味する。
【００１２】
図１３は、理想的な平面を有する第１、第２の羽根２，３が、垂直方向にずれた位置関係で閉じた状態を示す。また図１４は、平面度が悪い第１、第２の羽根２，３が、閉じた状態を示す。本願明細書において「平面度が悪い」とは、平面ではない状態を意味する。たとえば図１４に示すように、第１、第２の羽根２，３が波打った状態や、湾曲した状態を意味する。
【先行技術文献】
【特許文献】
【００１３】
【特許文献１】特開平９−６１８８７号公報
【発明の概要】
【発明が解決しようとする課題】
【００１４】
従来の構成では、図１２に示す間隙ｄが大きすぎると、図１３に示すように、第１の羽根２の第１端面２ａと、第２の羽根３の第２の端面３ａとが上下方向にずれてしまい、外観上良くない。特に、羽根の段差そのずれが大きい時には、羽根が閉じた状態で第１の羽根２および第２の羽根３が、その端面部分で重なりあってしまい、羽根の開閉動作不良を発生する。
【００１５】
その一方、間隙ｄが十分確保されなければ、図１４に示すように、平面度の悪い羽根を使用してバリアユニットを組み立てた時に、羽根の開閉動作を保証するための間隙が確保されず、羽根の開閉動作不良を発生する。
【００１６】
本発明は上述した従来の問題点を解決するものであり、その目的は、バリアユニットの羽根が閉じた状態で、当接する羽根の端部が上下にずれるという外観上の不良を回避し、また、羽根が重なってしまうことによる羽根の動作不良を回避するための構造を提供することにある。さらに、平面度の悪い羽根を使用してバリアユニットを組み立てた時でも羽根の開閉動作不良を発生させないようにするための構造を提供することにある。
【課題を解決するための手段】
【００１７】
本発明によるバリアユニットは、撮像装置のレンズを保護するバリアユニットであって、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた複数の羽根とを備え、前記基盤と前記カバーとの間の間隙に関して、前記複数の羽根が閉じられた状態における、前記複数の羽根の端部が互いに当接する第１位置近傍の間隙ｅは、前記第１位置とは異なる第２位置における間隙ｄよりも小さい。
【００１８】
前記基盤および前記カバーには、前記複数の羽根の少なくとも１つの開閉動作をガイドするレールがそれぞれ設けられており、各レールは、前記複数の羽根の各々に対して所定の間隙を有して、前記羽根の開閉移動をガイドし、前記間隙ｅおよび間隙ｄは、前記基盤に設けられたレールと前記カバーに設けられたレールとの間に形成されてもよい。
【００１９】
前記カバーには、前記複数の羽根の少なくとも１つの開閉動作をガイドするレールが設けられており、前記間隙ｅおよび間隙ｄは、前記基盤と前記レールとの間に形成されてもよい。
【００２０】
前記基盤には、前記複数の羽根の少なくとも１つの開閉動作をガイドするレールが設けられており、前記間隙ｅおよび間隙ｄは、前記カバーと前記レールとの間に形成されてもよい。
【００２１】
前記第１位置近傍において、前記基盤および前記カバーの一方には、前記複数の羽根に近づく方向に突出した規制部が設けられていてもよい。
【００２２】
前記間隙ｅは、前記基盤および前記カバーの一方に設けられた前記規制部と、前記基盤および前記カバーの他方との間に形成されてもよい。
【００２３】
前記第１位置近傍において、前記基盤および前記カバーの両方に、前記複数の羽根に近づく方向に突出した規制部が設けられていてもよい。
【００２４】
前記間隙ｅは、前記基盤に設けられた前記規制部と、前記カバーに設けられた前記規制部との間に形成されてもよい。
【００２５】
前記規制部の端部に傾斜が設けられていてもよい。
【００２６】
本発明による他のバリアユニットは、撮像装置のレンズを保護するバリアユニットであって、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた複数の羽根とを備え、前記基盤と前記カバーとの間の間隙に関して、前記複数の羽根が閉じられた状態における、前記複数の羽根の端部が互いに当接する第１位置近傍の間隙ｅは、第２位置における間隙ｄよりも小さく、前記第２位置は、前記複数の羽根が、前記第１の開口部および前記第２の開口部に対して前記第１位置よりも開いた方向にある位置であってもよい。
【００２７】
本発明によるカメラは、上述したいずれかのバリアユニットが実装されている。
【発明の効果】
【００２８】
本発明のバリアユニットによれば、羽根閉状態における第１及び第２の羽根の当接部近傍において、羽根の羽根ガイドレール部の高さを高く設定し、羽根閉状態における羽根の当接部近傍において、羽根の羽根ガイドレール部によって設けられる羽根と羽根ガイドレール部の間隙を小さく設けることにより、羽根閉状態で、当接する羽根の端部が上下にずれるという外観上の不良を回避し、また、羽根が重なってしまうことによる羽根の動作不良を回避し、また、平面度の悪い羽根を使用してバリアユニットを組み立てた時でも羽根の開閉動作不良の発生することのないバリアユニットを実現する。
【図面の簡単な説明】
【００２９】
【図１】本発明の実施形態によるバリアユニットの部品構成を表す上面斜視図である。
【図２】本発明の本実施形態によるバリアユニットの部品構成を表す下面斜視図である。
【図３】第１、第２の羽根２，３が開いた状態を示す平面図である。
【図４】第１、第２の羽根２，３が閉じた状態を示す平面図である。
【図５】理想的な平面を有する第１、第２の羽根２，３が、理想的な位置関係で閉じた状態を示す図である。
【図６】理想的な平面を有する第１、第２の羽根２，３が、垂直方向にずれた位置関係で閉じた状態を示す図である。
【図７】平面度が悪い第１、第２の羽根２，３が、閉じた状態を示す図である。
【図８】カバー１側に２つの規制部１ｂ−１および１ｂ−２を設け、基盤４ｂ側にも２つの規制部４ｂ−１および４ｂ−２を設けた構成の例を示す図である。
【図９】従来のバリアユニット１０１の断面図である。
【図１０】第１、第２の羽根２，３が開いた状態を示す平面図である。
【図１１】第１、第２の羽根２，３が閉じた状態を示す平面図である。
【図１２】理想的な平面を有する第１、第２の羽根２，３が、理想的な位置関係で閉じた状態を示す図である。
【図１３】理想的な平面を有する第１、第２の羽根２，３が、垂直方向にずれた位置関係で閉じた状態を示す図である。
【図１４】平面度が悪い第１、第２の羽根２，３が、閉じた状態を示す図である。
【発明を実施するための形態】
【００３０】
以下、添付の図１〜７を参照しながら、本発明のバリアユニットの実施形態を説明する。
【００３１】
図１は、本実施形態によるバリアユニットの部品構成を表す上面斜視図であり、図２は本実施形態によるバリアユニットの部品構成を表す下面斜視図である。
【００３２】
バリアユニットは、カバー１と、第１の羽根２と、第２の羽根３と、第１の端部２ａと、第２の端部３ａと、基盤４と、第１のリング５と、第２のリング６と、第１のバネ７と、第２のバネ８とを有している。
【００３３】
第１及び第２の羽根２および３は、たとえばバリアユニット５０がカメラに実装されたときに、そのカメラのレンズを保護するために設けられている。当該カメラを用いた撮影時には第１及び第２の羽根２および３は開き、非撮影時（たとえば電源オフ時）には第１及び第２の羽根２および３は閉じる。
【００３４】
第１及び第２の羽根２および３は、回転穴１５，１６によって基盤４上の軸９，１０に回転自在に取り付けられている。カバー１は、カバーに一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。
【００３５】
カバー１には、羽根ガイドレール部１ａ（図２）が設けられている。一方、基盤４には、羽根ガイドレール部４ａ（図１）が設けられている。
【００３６】
カバー１には開口部１３が設けられている。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。
【００３７】
第１のバネ７は、第１のリング５のバネかけ部２１と第２のリング６のバネかけ部２２に張架される。第２のバネ８は、第２のリング６のバネかけ部２３と基盤４のバネかけ部２４に張架される。
【００３８】
第２のリング６にはリング凸部２５が設けられている。リング凸部２５は、第１のリング５の切り欠き部２６に挿入されて、組み立てられる。
【００３９】
基盤４には開口部２７が設けられている。
【００４０】
また第２のリングにはカム部２８が設けられており、図示されない駆動手段によってカム部２８が付勢されることにより、第１、第２の羽根２，３が閉まる方向（Ｂ方向）に、第２のリング６が駆動される。
【００４１】
第１のバネ７によって第１、第２のリング５，６は一体となっている。カム部２８によって第２のリング６は閉まる方向（Ｂ方向）に駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎを回避する。
【００４２】
図３は、第１、第２の羽根２，３が開いた状態を示す平面図であり、図４は第１、第２の羽根２，３が閉じた状態を示す平面図である。図３および４には、カバー１、および、第１、第２の羽根２，３のみを簡略化して示している。
【００４３】
第１及び第２の羽根２，３は、それぞれ長穴１７，１８部分を駆動されて、回転穴１５，１６を中心に回動する。図４に示すように、羽根が閉じた状態では、第１の端部２ａおよび第２の端部３ａは当接する。
【００４４】
本実施形態によるバリアユニットの特徴のひとつは、羽根ガイドレール部１ａには規制部１ｂが設けられ、羽根ガイドレール部４ａには規制部４ｂが設けられていることにある。規制部１ｂおよび４ｂは、第１の端部２ａおよび第２の端部３ａの当接部近傍に設けられた、複数の羽根に近づく方向に突出した部分である。
【００４５】
ここで図５〜７のＣ−Ｃ断面を参照しながら、本実施形態によるバリアユニットの構造を詳細に説明する。
【００４６】
図５〜７は、それぞれ異なる態様による、第１、第２の羽根２，３の位置関係を示すＣ−Ｃ断面図である。
【００４７】
図５〜７において、第１、第２の羽根２，３は、カバー１に設けられた羽根ガイドレール部１ａ及び基盤４に設けられた羽根ガイドレール部４ａによって、その開閉動作をガイドされる。
【００４８】
間隙ｄは羽根の開閉動作を保証するために、第１、第２の羽根２，３と羽根ガイドレール部１ａ、４ａとの間に設けられている。羽根端部２ａおよび３ａの当接部近傍には、羽根ガイドレール部の規制部１ｂおよび４ｂが設けられている。規制部１ｂはカバー１の羽根ガイドレール部１ａに設けられており、規制部４ｂは基盤４の羽根ガイドレール部４ｂに設けられている。
【００４９】
羽根ガイドレール部の規制部１ｂ，４ｂが存在することにより、羽根端部２ａおよび３ａの当接部近傍では、羽根端部２ａとカバー１との間隙、および、羽根端部３ａと基盤４との間隙（いずれも間隙ｅとして図示）は、通常の間隙ｄに比べて小さい。羽根ガイドレール部の規制部１ｂ，４ｂの端部には、傾斜部１ｃ、４ｃが設けられている。
【００５０】
また、第１及び第２の羽根２，３の厚さがそれぞれｔとすると、規制部１ｂと４ｂとの間隔はｔより大きく、かつ、２ｔよりも小さく設定される。
【００５１】
図５は、理想的な平面を有する第１、第２の羽根２，３が、理想的な位置関係で閉じた状態を示す。このような条件の下では、羽根ガイドレール部１ａの規制部１ｂ、および、羽根ガイドレール部４ａの規制部４ｂは、その機能を発揮していない。規制部１ｂおよび４ｂは、図６や図７の状態において特に有効に機能する。
【００５２】
図６は、理想的な平面を有する第１、第２の羽根２，３が、垂直方向にずれた位置関係で閉じた状態を示す。また図７は、平面度が悪い第１、第２の羽根２，３が、閉じた状態を示す。
【００５３】
図６に示すように、第１及び第２の羽根２，３が垂直方向にずれた状態でも、羽根ガイドレール部の規制部１ｂ，４ｂが存在することにより、第１及び第２の羽根２，３のずれ量は所定以上に大きくなることはない。より具体的には、ずれ量は規制部１ｂおよび４ｂの間隔以上に大きくなることはない。ずれ量が最小限に抑えられているため、外観上の不具合を生じることがなく、羽根が閉じた状態において第１の羽根２と第２の羽根３とがその端面２ａおよび３ａで重なってしまい、羽根の開閉動作不良を発生することもない。
【００５４】
さらに、図７に示すように、平面度の悪い羽根を使用してバリアユニットを組み立ても、羽根の開閉動作不良を発生することはない。その理由は、規制部１ｂ，４ｂは羽根端部２ａ，３ａの当接部近傍に限って設けられており、羽根端部２ａ，３ａの当接部近傍以外の位置では、第１の羽根２と羽根ガイドレール部１ａおよび４ａとの間隙ｄ、および、第２の羽根３と、羽根ガイドレール部１ａおよび４ａとの間隙ｄは十分確保されているためである。また、羽根ガイドレール部の規制部１ｂ，４ｂの端部に設けられた傾斜部１ｃ、４ｃによって、羽根の開閉動作時にも、羽根端部２ａ，３ａが規制部１ｂ，４ｂにひっかかることはない。  
【００５５】
本実施形態では、羽根ガイドレール部１ａおよび４ａは、カバー１と基盤４の両方に設けられるとしたが、いずれか一方のみに設けられてもよい。そして、規制部１ｂおよび４ｂは、カバー１の羽根ガイドレール部１ａおよび基盤４の羽根ガイドレール部４ａの両方に設けられるとしたが、いずれかの羽根ガイドレール部に対して１つ設けられてもよい。また、規制部１ｂ，４ｂは羽根ガイドレール部上に設けられるとしたが、カバー１や基盤４の羽根に対向する面に直接、設けられてもよい。
【００５６】
本実施形態では、規制部を設ける数は、カバー１側に１つ、および、基盤４ｂ側に１つであるとした。しかしながら、その数は、いずれか一方、または、両方の側において、複数であってもよい。
【００５７】
図８は、カバー１側に２つの規制部１ｂ−１および１ｂ−２を設け、基盤４ｂ側にも２つの規制部４ｂ−１および４ｂ−２を設けた構成の例を示す。第１の羽根２および第２の羽根３の当接部近傍において、規制部１ｂ−１および４ｂ−１が第２の羽根３に対してそれぞれ設けられ、規制部１ｂ−２および４ｂ−２が第２の羽根２に対してそれぞれ設けられている。
【００５８】
第１の羽根２が垂直方向にずれたときのずれ量は規制部１ｂ−２及び４ｂ−２の間隔以上に大きくなることがない。同様に、第２の羽根３が垂直方向にずれたときのずれ量は規制部１ｂ−１及び４ｂ−１の間隔以上に大きくなることがない。先の説明と同様、例えば、第１及び第２の羽根２，３の厚さがそれぞれｔとすると、規制部１ｂ−１と４ｂ−１との間隔、および、規制部１ｂ−２と４ｂ−２との間隔は、ｔより大きく、かつ、２ｔよりも小さく設定されればよい。
【００５９】
羽根ガイドレール部の規制部１ｂ，４ｂの端部に設けられた傾斜部１ｃ、４ｃの範囲は、図５〜７で図示された例よりも長くてもよい。
【００６０】
なお、本発明において、傾斜部を設けることは必須ではない。傾斜部を設けることにより、さらにひっかかりが生じにくくなる。
【００６１】
本実施形態では、互いに当接する羽根は２枚であるとして説明したが、そのような羽根の枚数は３枚以上であってもよい。
【産業上の利用可能性】
【００６２】
本発明のバリアユニットは、スティルカメラやビデオムービーカメラのレンズ等を保護するために有用であり、スティルカメラやビデオムービーカメラ等の撮像装置に搭載可能である。
【符号の説明】
【００６３】
１  カバー
２  第１の羽根
３  第２の羽根
４  基盤
２ａ，３ａ  羽根端部
１ａ、４ａ  羽根ガイドレール部
１ｂ、４ｂ、１ｂ−１、１ｂ−２、４ｂ−１、４ｂ−２  羽根ガイドレール部の規制部
１ｃ、４ｃ  傾斜部
【手続補正２】
【補正対象書類名】特許請求の範囲
【補正対象項目名】全文
【補正方法】変更
【補正の内容】
【特許請求の範囲】
【請求項１】
撮像装置のレンズを保護するバリアユニットであって、
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた複数の羽根と
を備え、
前記基盤と前記カバーとの間の間隙に関して、
前記複数の羽根が閉じられた状態における、前記複数の羽根の端部が互いに当接する第１位置近傍の間隙ｅは、前記第１位置とは異なる第２位置における間隙ｄよりも小さい、バリアユニット。
【請求項２】
前記基盤および前記カバーには、前記複数の羽根の少なくとも１つの開閉動作をガイドするレールがそれぞれ設けられており、各レールは、前記複数の羽根の各々に対して所定の間隙を有して、前記羽根の開閉移動をガイドし、前記間隙ｅおよび間隙ｄは、前記基盤に設けられたレールと前記カバーに設けられたレールとの間に形成される、請求項１に記載のバリアユニット。
【請求項３】
前記カバーには、前記複数の羽根の少なくとも１つの開閉動作をガイドするレールが設けられており、前記間隙ｅおよび間隙ｄは、前記基盤と前記レールとの間に形成される、請求項１に記載のバリアユニット。
【請求項４】
前記基盤には、前記複数の羽根の少なくとも１つの開閉動作をガイドするレールが設けられており、前記間隙ｅおよび間隙ｄは、前記カバーと前記レールとの間に形成される、請求項１に記載のバリアユニット。
【請求項５】
前記第１位置近傍において、前記基盤および前記カバーの一方には、前記複数の羽根に近づく方向に突出した規制部が設けられている、請求項１から４のいずれかに記載のバリアユニット。
【請求項６】
前記間隙ｅは、前記基盤および前記カバーの一方に設けられた前記規制部と、前記基盤および前記カバーの他方との間に形成される、請求項５に記載のバリアユニット。
【請求項７】
前記第１位置近傍において、前記基盤および前記カバーの両方に、前記複数の羽根に近づく方向に突出した規制部が設けられている、請求項１から４のいずれかに記載のバリアユニット。
【請求項８】
前記間隙ｅは、前記基盤に設けられた前記規制部と、前記カバーに設けられた前記規制部との間に形成される、請求項５に記載のバリアユニット。
【請求項９】
前記規制部の端部に傾斜が設けられている、請求項７に記載のバリアユニット。
【請求項１０】
撮像装置のレンズを保護するバリアユニットであって、
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた複数の羽根と
を備え、
前記基盤と前記カバーとの間の間隙に関して、
前記複数の羽根が閉じられた状態における、前記複数の羽根の端部が互いに当接する第１位置近傍の間隙ｅは、第２位置における間隙ｄよりも小さく、
前記第２位置は、前記複数の羽根が、前記第１の開口部および前記第２の開口部に対して前記第１位置よりも開いた方向にある位置である、バリアユニット。
【請求項１１】
前記請求項１から１０のいずれかに記載のバリアユニットが実装されているカメラ。
【手続補正３】
【補正対象書類名】図面
【補正対象項目名】全図
【補正方法】変更
【補正の内容】
【図１】
2009104422.tif 000017
【図２】
2009104422.tif 000018
【図３】
2009104422.tif 000019
【図４】
2009104422.tif 000020
【図５】
2009104422.tif 000021
【図６】
2009104422.tif 000022
【図７】
2009104422.tif 000023
【図８】
2009104422.tif 000024
【図９】
2009104422.tif 000025
【図１０】
2009104422.tif 000026
【図１１】
2009104422.tif 000027
【図１２】
2009104422.tif 000028
【図１３】
2009104422.tif 000029
【図１４】
2009104422.tif 000030
【国際調査報告】
2009104422.tif 000031
2009104422.tif 000032
2009104422.tif 000033
2009104422.tif 000034
2009104422.tif 000035
2009104422.tif 000036
2009104422.tif 000037
2009104422.tif 000038